(57)【要約】【課題】パレット上に函詰製品を手作業で段積にする際に、パレットを回動させることで作業者の移動作業を減らすことができると共に、搬送時は軽量で取扱い容易なパレット搬送用手押台車を提供する。【解決手段】４本の桿状体３，３，３，３を四角形状又は井桁状に組合せ形成した枠体の下面の一側端部位置のそれぞれに配設されて回転する左右一対の固定輪４，４と、枠体の下面の他側端部位置のそれぞれに配設されて回転する左右一対のキャスタ輪５，５とを具備して形成した荷台２と、該荷台２の上面に重ね合わせて載置され前記４本の桿状体３，３，３，３のそれぞれにその底面側を固設してある下段側環状枠体９Ｂと、該下段側環状枠体９Ｂに対応して設けられ下段側環状枠体９Ｂの周枠上を回動自在としてある上段側環状枠体９Ａと、前記荷台２のいずれか一方の側端部の所定位置に着脱乃至倒伏自在に配設された手押ハンドル７とからなるパレット搬送用手押台車１とする。【選択図】  図１
2009179081.tif 000002
【特許請求の範囲】
【請求項１】
４本の桿状体を四角形状又は井桁形状に組合せ形成した枠体の下面の一側端部位置のそれぞれに配設されて回転する左右一対の固定輪と、枠体の下面の他側端部位置のそれぞれに配設されて回転する左右一対のキャスタ輪とを具備して形成した荷台と、該荷台の上面に重ね合わせて載置され前記４本の桿状体のそれぞれにその底面側を固設してある下段側環状枠体と、該下段側環状枠体に対応して設けられ下段側環状枠体の周枠上を回動自在としてある上段側環状枠体と、前記荷台のいずれか一方の側端部の所定位置に着脱乃至倒伏自在に配設された手押ハンドルとからなることを特徴とするパレット搬送用手押台車。
【請求項２】
前記下段側環状枠体には、上段側環状枠体の底面が摺動可能に複数のローラーを配設してある請求項１記載のパレット搬送用手押台車。
【発明の詳細な説明】
【技術分野】
【０００１】
本発明はパレット搬送用手押台車に関し、詳しくは、パレットに函詰製品等を段積する際に、台車上でパレットを回動させることで、積付け作業者の移動を少なくして効率良く段積することができる構造のパレット搬送用手押台車に関する。
【背景技術】
【０００２】
従来より、工場等でパレットを人力で搬送するための台車としては、油圧式のハンドリフトが重宝されていることは周知である。このような物品の搬送用台車は、この他にも種々ものが提案されている。例えば、コンテナ等の重量物移動台車として、回転自在とした台座を支持部に取り付けた回転台座を有する台車の構造が、特許文献１に記載されている。
また一方、長尺重量物の運搬台車として、台車上にターンテーブルを搭載した構造の旋回台車が、特許文献２に記載されている。
これ等の台車のうち、上記ハンドリフトは、空のまま又は製品を段積されて床に静置してあるパレットを、別の場所へ移動する際に、大きな力を要さない極めて便利な用具として使用されている。
【０００３】
上記特許文献１記載の台車は、コンテナ等の重量物の下面四隅に差し込むことで、移動中や停止中にかかわらず、台車の方向を容易に変換できる用具として使用されるものである。
また、特許文献２記載の台車は、台車上に荷受台を装備したターンテーブルを搭載した旋回台車と、電動ハンドリフト上にターンテーブルを搭載した移動台車とで、長尺重量物の前後を支持しながら方向転換容易に移動できる用具として使用されるものである。
【０００４】
【特許文献１】実開平５−４４６０３号公報
【特許文献２】特開２０００−２５６１８号公報
【発明の開示】
【発明が解決しようとする課題】
【０００５】
しかしながら、前述の油圧式ハンドリフトは、パレットを載せる支台に載置されたパレットを、支台から持ち上げて搬送するものであるため、パレット上に函詰製品を段積する作業に供するには、パレットを支台上にいったん降ろし、段積作業の障害になるハンドリフトを取り除いた後に段積作業を行うことができるものである。従って、このように支台上に置かれたパレット上へ函詰製品を段積するには、たとえば連続してコンベアーで搬送される製品を、積付け作業者が、コンベアー末端で受け取ってパレット上に段積することになり、パレットの手前側と奥側とは手を伸ばしても届かない距離があるために、積付け作業者は、パレットの周囲を移動しながら作業を続行しなければならず、その移動作業が多くなり疲労し易いものであった。
【０００６】
また、特許文献１及び２記載の台車は、いずれも搬送物に対して遥かに小形であり、ターンテーブルで直接にあるいはターンテーブル上の荷受台を介して搬送物の一部を分担支持しながら搬送できる構造のものである。従って、搬送物の方向転換をする際には、まず台車自体を方向転換して移動させ、これに従動させて搬送物を移動するために用いて有用な台車であるため、たとえ搬送物をパレットに代えてこれらの台車を搬送用に使用しても、使い勝手が悪いばかりでなく、搬送後のパレットの方向転換もその都度台車を操作してから行うことになり、パレットを所定位置へ搬送し製品積付け用として用いる台車としては甚だ不適合のものである。
【０００７】
本発明は以上のことを勘案してなされたもので、その目的は、製品をパレット上に手作業で段積して積付ける際に、積付け作業者の移動に伴う労働を軽減できると共に、製品積付後のパレットをそのまま所望の場所へ移送し得る構造としたパレット搬送用手押台車を提供することにある。
【課題を解決するための手段】
【０００８】
即ち、本発明のパレット搬送用手押台車は、４本の桿状体を四角形状又は井桁状に組合せ形成した枠体の下面の一側端部位置のそれぞれに配設されて回転する左右一対の固定輪と、枠体の下面の他側端部位置のそれぞれに配設されて回転する左右一対のキャスタ輪とを具備して形成した荷台と、該荷台の上面に重ね合わせて載置され前記４本の桿状体のそれぞれにその底面側を固設してある下段側環状枠体と、該下段側環状枠体に対応して設けられ下段側環状枠体の周枠上を回転自在としてある上段側環状枠体と、前記荷台のいずれか一方の側端部の所定位置に着脱乃至倒伏自在に配設された手押ハンドルとからなることを特徴とする。
【０００９】
その際、前記下段側環状枠体には、上段側環状枠体の底面が摺動可能に複数のローラーを配設してあると、積付製品が重量物であっても、台車を移動させることなく、パレットを積付け作業が容易となる所望の位置へスムーズに回動させ得るのでよい。
【発明の効果】
【００１０】
上述したように、本発明のパレット搬送用台車は、台車の骨格となる荷台部分を、４本の桿状体を四角形状又は井桁状に組合せ形成した枠体の下面の一側端部位置のそれぞれに配設されて回転する左右一対の固定輪と、枠体の下面の他側端部位置のそれぞれに配設されて回転する左右一対のキャスタ輪とを具備して形成してあるので、軽量で取り扱い易い。
【００１１】
また、この荷台の上面に載置され前記４本の桿状体のそれぞれにその底面側を固設してある下段側環状枠体と、該下段側環状枠体に対応して設けられ下段側環状枠体の周枠上を回転自在としてある上段側環状枠体とをパレット受台として備えた構造としてあるので、台車にこの環状枠体を介して載せられたパレットを台車上で所望の位置へ回動させることができ、積付け作業者は移動を少なくして作業を効率良く進めることができる。
【００１２】
また、荷台と荷受台部をそれぞれ枠体構造としてあり、荷受台全体はターンテーブル構造の重厚なものでもないので、台車の全重量を軽量化できる。
さらに、作業場等において不使用の台車が放置状態にしてあっても、台車の大部分は枠体で形成した荷台と環状枠体とからなるので、軽量かつコンパクトであり、通行等の邪魔にならず、また、枠体で囲まれた空間に足を運び入れることができるので、枠体を跨いで容易に通り抜けすることもできる。
【００１３】
また、本発明のパレット搬送用手押台車は、荷台のいずれか一方の側端部の所定位置に着脱乃至倒伏自在の手押ハンドルを具有しているので、台車搬送時は手押ハンドルを装着し、また製品積付け時はパレットの回動の邪魔にならないようにとりはずしたり倒伏することで、搬送及び積付け作業に応じて容易に切換えて使用できる。
【発明を実施するための最良の形態】
【００１４】
以下、本発明のパレット搬送用手押台車を図面に示す実施の形態を参照して説明する。
【実施例】
【００１５】
図１は、本発明パレット搬送用手押台車の一実施例を示す斜視図であり、図２は、図１のパレット搬送用手押台車の上面にパレットを載置した状態の一実施例を示す斜視図である。また、図３は、図２のパレットの上に函詰製品を段積にする途中の状態の一実施例を示す斜視説明図であり、図４は、本発明に係わる上段及び下段側環状枠体の構成の一実施例を示す断面説明図である。
【００１６】
図１において、パレット搬送用手押台車１（以下、単に「台車１」ともいう。）は、主骨格となる荷台２をステンレス製の４本の桿状体３，３，３，３を井桁状に組合せた枠体として形成してある。桿状体３，３，３，３は、その下面の一側端部位置（本実施例では桿状体の交叉部近傍）のそれぞれに左右一対の固定輪４，４と、他端部位置のそれぞれに左右一対のキャスタ輪５，５を具備した構造としてある。固定輪４，４には、製品積付中に台車１を停止させておくストッパ６，６がそれぞれ付設してあり、キャスタ輪５，５は、水平方向に回転自在としてあり、台車１の搬送中の搬送方向の転換を容易とするものである。
また、本実施例においては、台車１を搬送する場合に、手押し用として使用する手押ハンドル７の両先端を桿状体３，３の一側端部に穿孔した孔８，８に押嵌して台車１を押送できる構造としてあるが、これに限らず、手押ハンドル７を桿状体３，３の一側端部へ図示しないヒンジ構造を介して装着しておいてもよい。
【００１７】
本実施例の台車１は、上述の如く形成した荷台２の上面に、上下２段の枠体を相互に対応するように重ね合せて形成した直径１０００ｍｍの金属製の環状枠体９を載置してなる。
さらに詳説すると、環状枠体９は、その下段側環状枠体９Ｂの底面側を４本の桿状体３，３，３，３のそれぞれに固設してあり、その枠周に沿ってベアリングからなる複数のローラー１１を、上段側環状枠体９Ａの枠周底面１２が摺動可能に配設してある。上段側環状枠体９Ａは下段側環状枠体９Ｂと対応するように枠周に形成されて下段側環状枠体９Ｂ上に重ね合わせて載置してあり、下段側環状枠体９Ｂの枠周上を摺動可能としてある。
【００１８】
以上の構造をした本実施例の台車１は、その使用に際しては、図２に示したように、台車１上に縦・横の幅が各々１１００ｍｍのパレット１０を載置した状態で、函詰製品Ａの積付け作業をする場所（例えば、図示しない製品搬送コンベアーの末端部）へ供される。
所定位置に置かれた台車１は、まず、固定輪４，４に付設してあるストッパ６，６により積付け作業中に動かないように固定されると共に、台車１を押送するための手押ハンドル７を桿状体３，３の一側端部の孔８，８から引き抜き取りはずされる。これにより、パレット１０は、台車１上で手押ハンドル７に衝接することなく回動自在とされる。
【００１９】
このような前準備後に、パレット１０上に製品Ａは手作業で順次手前側から段積される。段積作業中に必要に応じてパレット１０は積付け作業者によって所望する作業がし易い位置へ適宜回動させられる。函詰製品Ａの段積が完了したパレット１０は、台車１から取りはずした手押ハンドル７を元に戻し、固定輪４，４のストッパ６，６の停止状態を解除した後、台車１に載せたままで次の工程へ搬送される。
次いで、函詰製品Ａが段積されたパレット１は、荷物運搬用のフォークリフト等で台車１上から取り除いて次工程へ搬送し、台車１上には、別の空のパレット１０を載置することにより、次の積付け作業に供することができる。
【図面の簡単な説明】
【００２０】
【図１】本発明のパレット搬送用手押台車の一実施例を示す斜視図。
【図２】図１のパレット搬送用手押台車の上面にパレットを載置した状態の一実施例を示す斜視図。
【図３】図２のパレットの上に函詰製品を段積にする途中の状態の一実施例を示す斜視説明図。
【図４】本発明に係わる上下段側環状枠体の構造の一実施例を示すＸ−Ｘ線断面説明図。
【符号の説明】
【００２１】
１    パレット搬送用手押台車
２    荷台
３    桿状体
４    固定輪
５    キャスタ輪
６    ストッパ
７    手押ハンドル
８    孔
９    環状枠体
９Ａ  上段側環状枠体
９Ｂ  下段側環状枠体
１０  パレット
１１  ローラー
１２  枠周底面
Ａ    函詰製品
【図１】
2009179081.tif 000003
【図２】
2009179081.tif 000004
【図３】
2009179081.tif 000005
【図４】
2009179081.tif 000006